(57)【特許請求の範囲】
【請求項１】
再充電可能スタイラスであって、
第１本体を有し、カラム状プラグが前記第１本体の一端に配置され、第１リング状コンタクトと第２リング状コンタクトとが前記プラグの本体の半径方向に固定端部から上端部に順次配置され、再充電可能な第１回路が第１本体の内部に配置され、前記第１回路は２つの充電端部を有し、一方はグラウンド端部であり、他方は正電圧端部であり、前記第１リング状コンタクトと前記第２リング状コンタクトとが前記２つの充電端部にそれぞれ電気的に接続され、前記第１リング状コンタクトと前記第２リング状コンタクトとはマイクロホンピンとグラウンドピンとを有するヘッドセットソケットに挿入され、前記マイクロホンピンは充電のために正電圧を供給することができ、
前記第１リング状コンタクトと前記第２リング状コンタクトとが前記ヘッドセットソケットに完全に挿入されると、前記第１リング状コンタクトが前記ヘッドセットソケットの前記グラウンドピンと電気的に接触し、前記第２リング状コンタクトが前記ヘッドセットソケットの前記マイクロホンピンと電気的に接触し、または前記第１リング状コンタクトが前記ヘッドセットソケットの前記マイクロホンピンと電気的に接続され、前記第２リング状コンタクトが前記ヘッドセットソケットの前記グラウンドピンと電気的に接触し、それにより、前記マイクロホンピンが前記正電圧端部に電気的に接続され、前記グラウンドピンが前記グラウンド端部に電気的に接続され、前記第１回路が前記マイクロホンピン及び前記グラウンドピンを用いて充電され、
前記スタイラスはさらに第２本体を含み、ソケットが前記第２本体の接続端部に配置され、前記ソケットは絶縁ソケット本体を含み、キャビティ構造ジャックが前記ソケット本体内に設けられ、第１ピンと第２ピンとが前記ジャックの内壁にジャック孔から内向きに順次配置され、
前記第１リング状コンタクトと前記第２リング状コンタクトとが前記ジャックに完全に挿入されると、前記第１リング状コンタクトは前記第１ピンと電気的に接触し、前記第２リング状コンタクトは前記第２ピンと電気的に接触する、
再充電可能スタイラス。
【請求項２】
第３リング状コンタクトと第４コンタクトとがさらに前記プラグの前記本体の前記半径方向に、前記固定端部から前記上端部に順番に配置され、前記ヘッドセットソケットは、さらに、左チャンネルピンと右チャンネルピンとを有し、
前記第１リング状コンタクトと前記第２リング状コンタクトとが前記ヘッドセットソケットに完全に挿入されると、前記第３リング状コンタクトは前記右チャンネルピンと電気的に接触し、前記第４コンタクトは前記左チャンネルピンと電気的に接触する、
請求項１に記載の再充電可能スタイラス。
【請求項３】
第３ピンと第４ピンとが、前記ジャック孔から前記ジャックの前記内壁の半径方向に順番に内側にさらに配置され、
前記第１リング状コンタクトと前記第２リング状コンタクトとが前記ヘッドセットソケットに完全に挿入されると、前記第３ピンは前記第３リング状コンタクトと電気的に接触し、前記第４ピンは前記第４コンタクトと電気的に接触する、
請求項２に記載の再充電可能スタイラス。
【請求項４】
外部ねじ山を有するリング状構造が前記プラグの本体の前記固定端部にさらに配置され、内部ねじ山を有するリング状構造が前記ジャックの内壁のジャック孔にを配置され、内部ねじ山を有する前記リング状構造と外部ねじ山を有する前記リング状構造とが互いにねじ込むことができ、
外部ねじ山を有する前記リング状構造が、内部ねじ山を有する前記リング状構造に完全にねじ込まれると、前記第１リング状コンタクトおよび前記第２リング状コンタクトは前記ジャックに完全に挿入され、前記第１本体および前記第２本体は完全なスタイラスを形成する、
請求項１または３に記載の再充電可能スタイラス。
【請求項５】
電子デバイスであって、
カラム状プラグが配置され、第１リング状コンタクトと第２リング状コンタクトとが前記プラグの本体の半径方向に固定端部から上端部に順次配置され、再充電可能な第１回路が前記電子デバイス内に配置され、前記第１回路は２つの充電端部を有し、一方はグラウンド端部であり他方は正電圧端部であり、前記第１リング状コンタクトと前記第２リング状コンタクトとが前記２つの充電端部にそれぞれ電気的に接続され、前記第１リング状コンタクトと前記第２リング状コンタクトとはマイクロホンピンとグラウンドピンとを有するヘッドセットソケットに挿入され、前記マイクロホンピンは充電のために正電圧を供給することができ、
前記第１リング状コンタクトと前記第２リング状コンタクトとが前記ヘッドセットソケットに完全に挿入されると、前記第１リング状コンタクトが前記ヘッドセットソケットの前記グラウンドピンと電気的に接触し、前記第２リング状コンタクトが前記ヘッドセットソケットの前記マイクロホンピンと電気的に接触し、または前記第１リング状コンタクトが前記ヘッドセットソケットの前記マイクロホンピンと電気的に接続され、前記第２リング状コンタクトが前記ヘッドセットソケットの前記グラウンドピンと電気的に接触し、それにより、前記マイクロホンピンが前記正電圧端部に電気的に接続され、前記グラウンドピンが前記グラウンド端部に電気的に接続され、前記第１回路が前記マイクロホンピン及び前記グラウンドピンを用いて充電され、
前記電子デバイスはさらに第２本体を含み、ソケットが前記第２本体の接続端部に配置され、前記ソケットは絶縁ソケット本体を含み、キャビティ構造ジャックが前記ソケット本体内に設けられ、第１ピンと第２ピンとが前記ジャックの内壁にジャック孔から内向きに順次配置され、
前記第１リング状コンタクトと前記第２リング状コンタクトとが前記ジャックに完全に挿入されると、前記第１リング状コンタクトは前記第１ピンと電気的に接触し、前記第２リング状コンタクトは前記第２ピンと電気的に接触する、
電子デバイス。
【請求項６】
電子デバイスにインストールされるカラム状プラグであって、
前記電子デバイスは充電可能な第１回路を有し、第１リング状コンタクトと第２リング状コンタクトとが前記プラグの本体の半径方向に固定端部から上端部に順次配置され、前記第１リング状コンタクトと前記第２リング状コンタクトとが前記第１回路の２つの充電端部にそれぞれ電気的に接続され、前記２つの充電端部のうちの一方をグラウンド端部とし、他方を正電圧端部とし、前記第１リング状コンタクトと前記第２リング状コンタクトとはマイクロホンピンとグラウンドピンとを有するヘッドセットソケットに挿入され、前記マイクロホンピンは充電のために正電圧を供給することができ、
前記第１リング状コンタクトと前記第２リング状コンタクトとが前記ヘッドセットソケットに完全に挿入されると、前記第１リング状コンタクトが前記ヘッドセットソケットの前記グラウンドピンと電気的に接触し、前記第２リング状コンタクトが前記ヘッドセットソケットの前記マイクロホンピンと電気的に接触し、または前記第１リング状コンタクトが前記ヘッドセットソケットの前記マイクロホンピンと電気的に接続され、前記第２リング状コンタクトが前記ヘッドセットソケットの前記グラウンドピンと電気的に接触し、それにより、前記マイクロホンピンが前記正電圧端部に電気的に接続され、前記グラウンドピンが前記グラウンド端部に電気的に接続され、前記第１回路が前記マイクロホンピン及び前記グラウンドピンを用いて充電され、
前記電子デバイスはさらに第２本体を含み、ソケットが前記第２本体の接続端部に配置され、前記ソケットは絶縁ソケット本体を含み、キャビティ構造ジャックが前記ソケット本体内に設けられ、第１ピンと第２ピンとが前記ジャックの内壁にジャック孔から内向きに順次配置され、
前記第１リング状コンタクトと前記第２リング状コンタクトとが前記ジャックに完全に挿入されると、前記第１リング状コンタクトは前記第１ピンと電気的に接触し、前記第２リング状コンタクトは前記第２ピンと電気的に接触する、
カラム状プラグ。
【発明の詳細な説明】
【技術分野】
【０００１】
［関連出願］
本出願は、２０１６年１１月２６日に中国特許庁に出願した中国特許出願第２０１６１１０５７２４３．４号（発明の名称「ＭＥＴＨＯＤ  ＡＮＤ  ＤＥＶＩＣＥ  ＯＦ  ＨＥＡＤＳＥＴ  ＣＯＮＮＥＣＴＯＲ  ＷＩＴＨ  ＳＣＲＥＷ  ＴＨＲＥＡＤ」）の優先権を主張するものである。上記出願はここにその全体を参照援用する。
［技術分野］
本出願は、スタイラスの技術分野に関し、特に、再充電可能なスタイラス、電子デバイス、およびプラグに関する。
【背景技術】
【０００２】
現在、スタイラスは、電子デバイス（携充電話やタブレットコンピュータなど）と共に使用される一般的な入力装置である。スタイラスには、充電式および非充電式のスタイラスが含まれる。図１は、第１本体１および第２本体２を含む、既存の再充電可能なスタイラス構造を示す。マイクロユニバーサルシリアルバス（ｍｉｃｒｏ  ｕｎｉｖｅｒｓａｌ  ｓｅｒｉａｌ  ｂｕｓ，  Ｍｉｃｒｏ  ＵＳＢ）のオスコネクタ１１が第１本体１の接続端部に配置されている。マイクロＵＳＢのメスコネクタ２１が第２本体２の接続端部に配置されている。第１本体１と第２本体２が分離されると、第１本体１がオスコネクタ１１を使用して充電されてもよく、第２本体２がメスコネクタ２１を使用して充電されてもよい。また、図１に示す接続構造では、第１凸状リブ１２が第１本体１の接続端部の周りにさらに配置され、第２凸状リブ２２が第２本体２の接続端部の周りに配置される。第１本体１と第２本体２が接続されると、オスコネクタ１１はメスコネクタ２１に挿入され、両本体間の電力伝達を確実にする。さらに、第１本体１および第２本体２は、第１凸状リブ１２および第２凸状リブ２２のインターロックにより、完全なスタイラスとして固定され接続される。
【０００３】
しかしながら、前述のスタイラス構造は次の欠点を有する：一方では、マイクロＵＳＢはタイプＣ（ｔｙｐｅ  Ｃ）ＵＳＢにより徐々に減少しつつある。しかし、タイプＣ  ＵＳＢは大型のメスとオスのコネクタを有しており、前述のスタイラス構造のマイクロＵＳＢのメスとオスのコネクタに取って代わるのに適しておらず、スタイラスの充電に不都合である。他方、前述の凸状リブ構造を用いて第１本体と第２本体を固定する場合、耐摩耗性が低いと接続信頼性が低くなり、さらに組立後の同心性の確保が困難となり、ハンドフィールが悪くなる。
【発明の概要】
【０００４】
本出願の実施形態は、再充電可能なスタイラス、電子デバイス、及びスタイラスの充電を実施するプラグを提供する。
【０００５】
前述の目的を達成するために、本出願の実施形態は、以下の技術的ソリューションを使用する。
【０００６】
第１態様によれば、本出願の一実施形態は、再充電可能なスタイラスを提供する。本スタイラスは第１本体を含む。カラム状プラグが第１本体の一端部に配設され、第１リング状コンタクトと第２リング状コンタクトとが前記プラグの本体の半径方向に固定端部から上端部に順次配置される。また、再充電可能な第１回路が前記第１本体内に配置され、前記第１回路は２つの充電端部を有し、一方はグラウンド端部であり他方は正電圧端部である。前記第１リング状コンタクトと前記第２リング状コンタクトとが前記２つの充電端部にそれぞれ電気的に接続され得る。前記プラグの前記第１リング状コンタクトと前記第２リング状コンタクトとはマイクロホンピンとグラウンドピンとを有するヘッドセットソケットに挿入され、前記ヘッドセットソケットの前記マイクロホンピンは充電のために正電圧を供給することができる。それゆえ、一実施形態において、前記プラグの前記第１リング状コンタクトと前記第２リング状コンタクトとが前記ヘッドセットソケットに完全に挿入されると、前記第１リング状コンタクトが前記ヘッドセットソケットの前記グラウンドピンと電気的に接触することができ、前記第２リング状コンタクトが前記ヘッドセットソケットの前記マイクロホンピンと電気的に接触することができ、または他の実施形態では、前記第１リング状コンタクトが前記ヘッドセットソケットの前記マイクロホンピンと電気的に接続されることができ、前記第２リング状コンタクトが前記ヘッドセットソケットの前記グラウンドピンと電気的に接触することができる。前述の２つの実施態様により、最終的に、マイクロホンピンが正電圧端部に電気的に接続され、グラウンドピンがグラウンド端部に電気的に接続することを可能にし、その結果、第１回路は、マイクロホンピンおよびグラウンドピンを使用することによって充電可能である。本出願のこの実施形態において提供される再充電可能なスタイラスは、カラム状のプラグを有する。プラグの第１リング状コンタクトと第２リング状コンタクトは、マイクロホンピンを用いて充電のための正電圧を与えるヘッドセットソケットに挿入され、第１リング状コンタクトと第２リング状コンタクトとの一方がマイクロホンピンと電気的に接触し、もう一方がヘッドセットソケットのグラウンドピンと電気的に接触する。このようにして、スタイラスが、ヘッドセットソケットのマイクロホンピンとアースピンを使用して充電することができる。
【０００７】
可能性のある設計では、第３リング状コンタクトと前記第４コンタクトとがさらに前記プラグの前記本体の前記半径方向に、前記固定端部から前記上端部に順番に配置される。対応して、前記ヘッドセットソケットは、さらに、左チャンネルピンと右チャンネルピンとを有する。したがって、前記第１リング状コンタクトと前記第２リング状コンタクトとが前記ヘッドセットソケットに完全に挿入されると、前記第３リング状コンタクトは前記右チャンネルピンと電気的に接触でき、前記第４コンタクトは前記左チャンネルピンと電気的に接触できるので、ヘッドセットソケットの左チャンネルピンと右チャンネルピンを用いてデータをスタイラスの第１本体に伝達することができる。従って、ヘッドセットソケットは、スタイラスを充電するだけでなく、スタイラスにデータを伝達するために使用することができ、この出願の実施形態の適用範囲が拡大される。
【０００８】
可能な設計では、スタイラスはさらに第２本体を含む。ソケットが第２本体の接続端部に配置され、そのソケットは絶縁ソケット本体を含み、キャビティ構造のジャックがソケット本体内に設けられ、第１ピンおよび第２ピンがジャックの内壁の内側にジャック孔から順に配置される。前記第１リング状コンタクトと前記第２リング状コンタクトとが前記ジャックに完全に挿入されると、前記第１リング状コンタクトは前記第１ピンと電気的に接触し、前記第２リング状コンタクトは前記第２ピンと電気的に接触し、第１リング状コンタクトと第１ピンとの間にチャンネルが形成され、第２リング状コンタクトと第２ピンとの間に別のチャンネルが形成される。次いで、電力またはデータは、２つの伝導チャンネルを介して、第１本体と第２本体との間で送信され得る。
【０００９】
可能性のあるデザインでは、第３ピンと第４ピンとが、前記ジャック孔から前記ジャックの前記内壁の半径方向に順番に内側にさらに配置される。前記第１リング状コンタクトと前記第２リング状コンタクトとが前記ヘッドセットソケットに完全に挿入されると、前記第３ピンは前記第３リング状コンタクトと電気的に接触し、前記第４ピンは前記第４コンタクトと電気的に接触し、第１リング状コンタクトと第３ピンとの間にチャンネルが形成され、第４コンタクトと第４ピンとの間に別のチャンネルが形成される。次いで、電力またはデータは、２つの伝導チャンネルを介して、第１本体と第２本体との間で送信され得る。
【００１０】
可能性のあるデザインでは、外部ねじ山を有するリング状構造が前記プラグの本体の前記固定端部にさらに配置され、内部ねじ山を有するリング状構造が前記ジャックの内壁のジャック孔にを配置され、内部ねじ山を有する前記リング状構造と外部ねじ山を有する前記リング状構造とが互いにねじ込むことができる。外部ねじ山を有する前記リング状構造が、内部ねじ山を有する前記リング状構造に完全にねじ込まれると、前記第１リング状コンタクトおよび前記第２リング状コンタクトは前記ジャックに完全に挿入され、前記第１本体および前記第２本体は完全なスタイラスを形成する。第１本体のプラグの外部ネジ山を有するリング状構造は、第２本体のソケットの内部ネジ山を有するリング状構造にねじ込まれ、第１本体と第２本体との間に確実な構造的接続を実現し、第１本体と第２本体との間の同心性を確保する。これにより、第１本体が第２本体から落下したり移動したりしないようにするだけでなく、第１本体のプラグの種々のコンタクトが第２本体のソケットの対応するピンと電気的に良好に接触するようにする。
【００１１】
他の態様によれば、本出願の一実施形態は、カラム状プラグが配置される電子デバイスを提供する。第１リング状コンタクトと第２リング状コンタクトとが前記プラグの本体の半径方向に固定端部から上端部に順次配置される。また、再充電可能な第１回路が前記電子デバイス内に配置され、前記第１回路は２つの充電端部を有し、一方はグラウンド端部であり他方は正電圧端部である。前記第１リング状コンタクトと前記第２リング状コンタクトとが前記２つの充電端部にそれぞれ電気的に接続される。前記プラグの前記第１リング状コンタクトと前記第２リング状コンタクトとはマイクロホンピンとグラウンドピンとを有するヘッドセットソケットに挿入され、前記マイクロホンソケットの前記マイクロホンピンは充電のために正電圧を供給することができる。それゆえ、一実施形態において、前記プラグの前記第１リング状コンタクトと前記第２リング状コンタクトとが前記ヘッドセットソケットに完全に挿入されると、前記第１リング状コンタクトが前記ヘッドセットソケットの前記グラウンドピンと電気的に接触し、前記第２リング状コンタクトが前記ヘッドセットソケットの前記マイクロホンピンと電気的に接触し、または他の実施形態では、前記第１リング状コンタクトが前記ヘッドセットソケットの前記マイクロホンピンと電気的に接続され、前記第２リング状コンタクトが前記ヘッドセットソケットの前記グラウンドピンと電気的に接触する。前述の２つの実施形態により、結局、マイクロホンピンが正電圧端部に電気的に接続され、グラウンドピンがグラウンド端部に電気的に接続され、その結果、第１回路をマイクロホンピンとグラウンドピンを用いて充電することができる。本出願のこの実施形態において提供される電子デバイスは、カラム状のプラグを有する。プラグの第１リング状コンタクトと第２リング状コンタクトは、マイクロホンピンを用いて充電のための正電圧を与えるヘッドセットソケットに挿入され、第１リング状コンタクトと第２リング状コンタクトとの一方がマイクロホンピンと電気的に接触し、もう一方がヘッドセットソケットのグラウンドピンと電気的に接触する。このようにして、電子デバイスが、ヘッドセットソケットのマイクロホンピンとアースピンを使用して充電することができる。
【００１２】
さらに別の態様によれば、本出願の一実施形態は、電子デバイス上にインストールされるカラム状プラグを提供する。電子デバイスは、再充電可能な第１回路を含む。第１リング状コンタクトと第２リング状コンタクトとが前記プラグの本体の半径方向に固定端部から上端部に順次配置される。前記第１リング状コンタクトと前記第２リング状コンタクトとが前記第１回路の前記２つの充電端部にそれぞれ電気的に接続される。前記２つの充電端部のうちの一方はグラウンド端部であり、他方は正電圧端部である。また、前記第１リング状コンタクトと前記第２リング状コンタクトとはマイクロホンピンとグラウンドピンとを有するヘッドセットソケットに挿入され、前記マイクロホンソケットの前記マイクロホンピンは充電のために正電圧を供給することができる。それゆえ、一実施形態において、前記プラグの前記第１リング状コンタクトと前記第２リング状コンタクトとが前記ヘッドセットソケットに完全に挿入されると、前記第１リング状コンタクトが前記ヘッドセットソケットの前記グラウンドピンと電気的に接触することができ、前記第２リング状コンタクトが前記ヘッドセットソケットの前記マイクロホンピンと電気的に接触することができ、または他の実施形態では、前記第１リング状コンタクトが前記ヘッドセットソケットの前記マイクロホンピンと電気的に接続されることができ、前記第２リング状コンタクトが前記ヘッドセットソケットの前記グラウンドピンと電気的に接触することができる。前述の２つの実施形態により、結局、マイクロホンピンが正電圧端部に電気的に接続され、グラウンドピンがグラウンド端部に電気的に接続され、その結果、第１回路をマイクロホンピンとグラウンドピンを用いて充電することができる。本出願の本実施形態において提供されるカラム状プラグは、電子デバイスにインストールされ得る。プラグの第１リング状コンタクトと第２リング状コンタクトは、マイクロホンピンを用いて充電のための正電圧を与えるヘッドセットソケットに挿入され、第１リング状コンタクトと第２リング状コンタクトとの一方がマイクロホンピンと電気的に接触し、もう一方がヘッドセットソケットのグラウンドピンと電気的に接触する。このようにして、電子デバイスが、ヘッドセットソケットのマイクロホンピンとアースピンを使用して充電することができる。
【００１３】
従来技術と比較して、本出願の本実施形態において提供されるソリューションにおいて、充電式スタイラスの第１本体上のプラグの外部ねじ山を有するリング状構造は、第２本体上のソケットの内部ねじ山を有するリング状構造にねじ込まれ、第１本体と第２本体との間の確実な構造的接続を実現し、第１本体と第２本体との同心性を確保する。これにより、第１本体が第２本体から落下したり移動したりしないようにするだけでなく、第１本体のプラグの種々のコンタクトが第２本体のソケットの対応するピンと電気的に良好に接触するようにする。さらに、第１本体上のプラグの第１リング状コンタクトは、第２本体上のソケットの第１ピンと電気的に接触しており、第１本体上のプラグの第２リング状コンタクトは、第２本体上のソケットの第２ピンと電気的に接触しており、第１本体と第２本体との間の電力伝達を確実にする。さらに、第１本体のプラグの第１リング状コンタクトと第２リング状コンタクトとがマイクロホンピンでヘッドセットソケットに完全に挿入されると、第１リング状コンタクトがヘッドセットソケットのマイクロホンホンピンと電気的に接触し、第２リング状コンタクトがヘッドセットソケットのグラウンドピンと電気的に接触し、ヘッドセットソケットのマイクロホンピンが充電のための正の電圧を提供することができ、ヘッドセットソケットが第１本体に充電できるようになる。
【図面の簡単な説明】
【００１４】
本出願の実施形態または先行技術の技術的解決手段をより明確に説明するため、以下に実施形態または先行技術を説明するのに必要な添付図面を簡単に説明する。
【図１】従来技術におけるスタイラスを示す概略構造図である。
【図２】従来技術におけるマイクロホンなしのヘッドセットのプラグを示す概略構造図である。
【図３】従来技術におけるマイクロホンなしのヘッドセットのソケットを示す概略構造図である。
【図４】従来技術のヘッドセットのソケットに、マイクロホンなしのヘッドセットのプラグを挿入したことを示す概略図である。
【図５】従来技術におけるマイクロホン有りのヘッドセットのプラグを示す概略構造図である。
【図６】従来技術におけるマイクロホン有りのヘッドセットのソケットを示す概略構造図である。
【図７】従来技術のヘッドセットのソケットに、マイクロホン有りのヘッドセットのプラグを挿入したことを示す概略図である。
【図８】従来技術におけるマイクロホン有りの他のヘッドセットのプラグを示す概略構造図である。
【図９】従来技術におけるマイクロホン有りの他のヘッドセットのソケットを示す概略構造図である。
【図１０】従来技術のヘッドセットのソケットに、マイクロホン有りの他のヘッドセットのプラグを挿入したことを示す概略図である。
【図１１】本出願の一実施形態によるカラム状プラグを示す概略構造図である。
【図１２】本出願の一実施形態による他のカラム状プラグを示す概略構造図である。
【図１３】本出願の一実施形態による他のカラム状プラグを示す概略側面図である。
【図１４】本出願の一実施形態によるソケットを示す概略構造図である。
【図１５】本出願の一実施形態によるソケットを示す概略側面図である。
【図１６】本出願の一実施形態によるソケットにプラグが挿入されていることを示す概略図である。
【図１７】本出願の一実施形態によるソケットに他のプラグが挿入されていることを示す概略図である。
【図１８】本出願の一実施形態による他のソケットを示す概略構造図である。
【図１９】本出願の一実施形態によるソケットにさらに別のプラグが挿入されていることを示す概略図である。
【図２０】本出願の一実施形態によるソケットにさらに別のプラグが挿入されていることを示す概略図である。
【図２１】本出願の一実施形態による再充電可能なスタイラスを示す概略構造図である。
【図２２】本出願の一実施形態による第１回路の一例を示す概略図である。
【図２３】本出願の一実施形態による、第１本体と第２本体がねじ込まれたスタイラスを示す概略図である。
【図２４】本出願の一実施形態による他の再充電可能なスタイラスを示す概略構造図である。
【図２５】本出願の一実施形態による、第１本体と第２本体がねじ込まれた他のスタイラスを示す概略図である。
【図２６】本出願の一実施形態による電子デバイスを示す概略構造図である。
【図２７】本出願の一実施形態による他の電子デバイスを示す概略構造図である。
【図２８】本出願の一実施形態によるスタイラスの第１本体が電子デバイスに挿入されたところを示す概略図である。
【図２９】本出願の一実施形態による他のスタイラスの第１本体が電子デバイスに挿入されたところを示す概略図である。
【図３０】本出願の一実施形態によるさらに別の再充電可能なスタイラスを示す概略構造図である。
【図３１】本出願の一実施形態による、第１本体と第２本体がねじ込まれたさらに別のスタイラスを示す概略図である。
【図３２】本出願の一実施形態によるさらに別の再充電可能なスタイラスを示す概略構造図である。
【図３３】本出願の一実施形態による、第１本体と第２本体がねじ込まれたさらに別のスタイラスを示す概略図である。
【図３４】本出願の一実施形態による他のスタイラスの第１本体が電子デバイスに挿入されたところを示す概略図である。
【図３５】本出願の一実施形態によるさらに別のスタイラスの第１本体が電子デバイスに挿入されたところを示す概略図である。
【発明を実施するための形態】
【００１５】
以下は、添付の図面を参照して、本出願の実施形態を説明する。
【００１６】
従来技術では、ヘッドセットプラグのコンタクトとヘッドセットソケットの対応するピンとの間の電気的コンタクトにより、ヘッドセットソケットとヘッドセットプラグとの間でデータ伝達が実施される。
【００１７】
図２は、マイクロホンなしのヘッドセットのプラグを示す概略構造図である。左チャンネルコンタクト３１、右チャンネルコンタクト３２、およびグラウンド（ｇｒｏｕｎｄ、ＧＮＤ）コンタクト３３が、ヘッドセットプラグ３の本体上に順次配置される。図３は、マイクロホンなしのヘッドセットの対応するソケットを示す概略構造図である。左チャンネルピン４１、右チャンネルピン４２、およびグラウンドピン４３が、ヘッドセットソケット４のヘッドセットジャックの内壁に順次配置される。図４に示すように、ヘッドセットプラグ３がヘッドセットソケット４に完全に挿入されると、左チャンネルコンタクト３１は左チャンネルピン４１と電気的に接触し、右チャンネルコンタクト３２は右チャンネルピン４２と電気的に接触し、グラウンドコンタクト３３はグラウンドピン４３と電気的に接触する。
【００１８】
図５は、マイクロホン有りのヘッドセットのプラグを示す概略構造図である。図２に示すヘッドセットプラグの構造との違いは、マイクロホン（ｍｉｃｒｏｐｈｏｎｅ、ＭＩＣ）コンタクト３４がヘッドセットプラグ３の本体上にさらに配置されていることである。図６は、マイクロホン有りのヘッドセットのソケットを示す概略構造図である。図３に示すヘッドセットソケットの構造との違いは、マイクロホンピン４４がヘッドセットソケット４のヘッドセットジャックの内壁上の対応する位置にさらに配置されることである。図７に示すように、ヘッドセットプラグ３がヘッドセットソケット４に完全に挿入されると、左チャンネルコンタクト３１は左チャンネルピン４１と電気的に接触し、右チャンネルコンタクト３２は右チャンネルピン４２と電気的に接触し、グラウンドコンタクト３３はグラウンドピン４３と電気的に接触し、マイクロホンコンタクト３４はマイクロホンピン４４と電気的に接触する。
【００１９】
図８は、マイクロホン有りの他のヘッドセットのプラグを示す概略構造図である。図８と図５との違いは、グラウンドコンタクト３３の位置とマイクロホンコンタクト３４の位置とが、ヘッドセットプラグ３の本体上で反転していることである。図９は、マイクロホン有りの他のヘッドセットの対応するソケットを示す概略構造図である。図９と図６との違いは、グラウンドピン４３の位置とマイクロホンピン４４の位置とが、ヘッドセットソケット４のヘッドセットジャックの内壁上で反転していることである。図１０に示すように、ヘッドセットプラグ３がヘッドセットソケット４に完全に挿入されると、左チャンネルコンタクト３１は左チャンネルピン４１と電気的に接触し、右チャンネルコンタクト３２は右チャンネルピン４２と電気的に接触し、グラウンドコンタクト３３はグラウンドピン４３と電気的に接触し、マイクロホンコンタクト３４はマイクロホンピン４４と電気的に接触する。
【００２０】
留意点として、本出願の実施形態は、例として再充電可能なスタイラスを提供する。当業者には言うまでもなく、本出願の実施形態は、充電要件を有する他の電子デバイスにも適用可能であるが、本明細書では詳細に説明しない。
【００２１】
本出願の一実施形態はカラム状プラグを提供する。図１１に示すように、外部ねじ山を有するリング状構造５１１と、第１リング状コンタクト５１２と、第２リング状コンタクト５１３とが、プラグ５１の本体上の半径方向に、固定端部から上端部へと順次配置される。外部ネジ山を有するリング状構造５１１、第１リング状コンタクト５１２、および第２リング状コンタクト５１３は、同軸である。さらに、外部ネジ山を有するリング状構造５１１の直径は、第１リング状コンタクト５１２の直径よりも大きく、外部ネジ山を有するリング状構造５１１の直径は、第２リング状コンタクト５１３の直径よりも大きい。
【００２２】
本出願の一実施形態は他のカラム状プラグを提供する。図１２に示すように、図１１に示すプラグとの違いは、第３リング状コンタクト５１４と第４コンタクト５１５が、プラグ５１の本体上の半径方向に、固定端部から上端部へとさらに順次配置されることである。外部ねじ山を有するリング状構造５１１、第１リング状コンタクト５１２、第２リング状コンタクト５１３、第３リング状コンタクト５１４、および第４コンタクト５１５は同軸である。カラム状プラグの概略側面図を図１３に示す。
【００２３】
本出願の一実施形態はソケットを提供する。図１４に示されるように、ソケット６１は絶縁ソケット本体６１０を含み、空洞構造ジャック６１１はソケット本体６１０内に設けられ、内部ねじ山を有するリング状構造６１２、第１ピン６１３、および第２ピン６１４は、ジャック６１１の内壁上の、ジャック孔から半径方向に内側に順次配置される。図１１または図１２に示されるプラグ５１の外部ねじ山を有するリング状構造５１１と内部ネジ山を有するリング状構造６１２とは、相互にねじ込み可能である。ソケットの概略側面図を図１５に示す。
【００２４】
図１６および図１７に示されるように、図１１または図１２に示されるプラグ５１の外部ネジ山を有するリング状構造５１１が、内部ネジ山で、リング状構造６１２に完全にネジ止めされると、プラグ５１とソケット６１との間の確実な構造的接続が実施される。さらに、第１ピン６１３は、第１リング状コンタクト５１２と電気的に接触しており、第２ピン６１４は、第２リング状コンタクト５１３と電気的に接触している。図１６は図１１に示すプラグに対応し、図１７は図１２に示すプラグに対応する。
【００２５】
本出願の一実施形態は他のソケットを提供する。図１８に示すように、図１４に示すソケットとの違いは、第３ピン６１５と第４ピン６１６が、ジャック孔からジャック６１１の内壁の半径方向内側に順次配置されることである。図１９に示されるように、図１１に示されるプラグ５１の外部ねじ山を有するリング状構造５１１が、内部ねじ山を有するリング状構造６１２に完全にねじ込まれた場合、第３ピン６１５および第４ピン６１６は、プラグ５１のコンタクトと電気的に接触しない。図２０に示されるように、図１２に示されるプラグ５１の外部ねじ山を有するリング状構造５１１が、内部ねじ山を有するリング状構造６１２に完全にねじ込まれた場合、第３ピン６１５および第４ピン６１６は、プラグ５１４のコンタクトと電気的に接触しない。
【００２６】
本出願の実施形態において提供されるプラグ及びソケットによれば、プラグの外部ねじ山を有するリング状構造は、ソケットの内部ねじ山を有するリング状構造にねじ込まれ、プラグとソケットとの間に確実な構造的接続を実現し、プラグとソケットの同心性を確実にする。これにより、プラグがソケットから落下したり移動したりしないようにするだけでなく、プラグの種々のコンタクトがソケットの対応するピンと電気的に良好に接触するようにする。
【００２７】
本出願の一実施形態は再充電可能スタイラスを提供する。図２１に示すように、再充電可能なスタイラスは、第１本体５および第２本体６を含む。図１１に示されるカラム状プラグ５１は、第１本体５の接続端部に配置される。再充電可能な第１回路５２が第１本体５の内部に配置されており、その第１回路５２は２つの充電端部を有し、一方はグラウンド端部であり、他方は正電圧端部である。第１リング状コンタクト５１２は、リング状構造５１１により外部ネジ山でルーティングされた第１導電ワイヤ５３を使用することによって、第１回路５２の一方の充電端部に電気的に接続され、第２リング状コンタクト５１３は、リング状構造５１１により外部ネジ山でルーティングされた第２導電ワイヤ５４を使用することによって、第１回路５２の他方の充電端部に電気的に接続される。図１４に示されるソケット６１は、第２本体６の接続端部に配置される。第２回路６２は、第２本体６の内側に配置される。第１ピン６１３は、第３導電ワイヤ６３を用いて第２回路６２に電気的に接続され、第２ピン６１４は、第４導電ワイヤ６４を用いて第２回路６２に電気的に接続される。
【００２８】
第１回路５２は、再充電可能バッテリを含むことができる。一方では、再充電可能バッテリは、第１リング状コンタクト５１２および第２リング状コンタクト５１３を使用することによって充電されてもよい。他方、再充電可能バッテリは、スタイラスの別の作業回路に電力を供給することができる。例えば、図２２に示されるように、第１回路５２は、第１充電端部５２１、第２充電端部５２２、充電チップ５２３、および再充電可能バッテリ５２４を含むことができる。第１充電端部５２１は、充電チップ５２３の入力ピンＶＣＣに電気的に接続され、第２充電端部５２２は、充電チップ５２３の入力ピンＧＮＤに電気的に接続され、充電ピン５２３の出力ピンＢＡＴは、再充電可能バッテリ５２４の正極に電気的に接続され、充電チップ５２３の出力ピンＴＥＭＰは、再充電可能バッテリ５２４の負極に電気的に接続される。第１リング状コンタクト５１２が正電圧に接続され、第２リング状コンタクト５１３がグラウンドされると、第１リング状コンタクト５１２は第１充電端部５２１に電気的に接続され、第２リング状コンタクト５１３が第２充電端部５２２に電気的に接続され、または第１リング状コンタクト５１２がグラウンドされ、第２リング状コンタクト５１３が正電圧に接続されると、第１リング状コンタクト５１２は第２充電端部５２２に電気的に接続され、第２リング状コンタクト５１３は第１充電端部５２１に電気的に接続される。留意点として、当業者が異なる再充電可能バッテリまたは充電チップに基づいて構成することができる第１回路５２の他の回路接続形式は、本出願の実施形態の保護範囲内に入り、詳細は本明細書には記載しない。
【００２９】
図２３に示されるように、外部ねじ山を有するリング状構造５１１が、内部ねじ山を有するリング状構造６１２内に完全にねじ込まれると、第１リング状コンタクト５１２および第２リング状コンタクト５１３は、ジャック６１１内に完全に挿入され、第１本体５および第２本体６は、完全なスタイラスを形成するようにねじ込まれる。第１リング状コンタクト５１２は、第１ピン６１３と電気的に接触しており、第２リング状コンタクト５１３は、第２ピン６１４と電気的に接触しており、その結果、チャンネルが第１リング状コンタクト５１２と第１ピン６１３との間に形成され、別のチャンネルが第２リング状コンタクト５１３と第２ピン６１４との間に形成される。この場合、２つの伝導チャンネルが、第１本体５の第１回路５２と第２本体６の第２回路６２との間に実装され得る。具体的には、第１導電ワイヤ５３と第３導電ワイヤ６３との間で導通が実施され、第２導電ワイヤ５４と第４導電ワイヤ６４との間で導通が実施される。したがって、第１回路５２および第２回路６２は、第１リング状コンタクト５１２および第２リング状コンタクト５１３の機能を再利用するように設計されてもよい。例えば、電力伝達またはデータ伝達は、第１本体５と第２本体６との間で実施されてもよい。
【００３０】
第２本体は、本出願のこの実施形態において任意であることに留意されたい。第２本体と第１本体が完全なスタイラスを形成した後、プラグのような充電に使用される構造は、外観から見えない。本出願の一実施形態は他の再充電可能スタイラスを提供する。図２４に示すように、図２１に示すスタイラスと比較して、ソケット６１の第２回路６２、第３導電ワイヤ６３、第４導電ワイヤ６４、第１ピン６１３および第２ピン６１４が除去される。従って、第２本体６の構造はより単純である。この構造が使用されるのは、外部ネジ山を有するリング状構造５１１と、内部ネジ山を有するリング状構造６１２とをネジ止めするだけで、第１本体５とプラグ５１を固定すればよく、第１本体５と第２本体６との間に電力またはデータ交換の必要がない場合である。図２５に示されるように、第１本体５の外部ねじ山を有する回転構造５１１が、第２本体６の内部ねじ山を有する回転構造６１２に完全にねじ込まれると、第１リング状コンタクト５１２および第２リング状コンタクト５１３は、ジャック６１１に完全に挿入され、第１本体５および第２本体６は、完全なスタイラスを形成するようにねじ込まれる。
【００３１】
第１リング状コンタクト５１２および第２リング状コンタクト５１３は、図６または図９に示されるマイクロホンピン４４およびグラウンドピン４３と共にヘッドセットソケットに挿入されてもよく、ヘッドセットソケットのマイクロホンピン４４は、充電のために正の電圧を提供することができる。
【００３２】
従って、例えば、本出願の一実施形態は、電子デバイス７を提供する。図２６に示されるように、電子デバイスは、図６に示されるマイクロホンピンを有するヘッドセットソケット４を含み、または図２７に示されるように、電子デバイスは、図９に示されるマイクロホンピンを有するヘッドセットソケット４を含む。さらに、電子デバイスは、電源７１、ブーストチップ７２、および抵抗７３をさらに含む。電源７１は、電子デバイス７内の再充電可能バッテリであってもよい。電源７１の電圧は４Ｖであると仮定する。最初に、ブーストチップ７２は、電源７１の電圧を４Ｖから５Ｖに昇圧する。電圧は、抵抗７３によってできるだけ小さく分割された後、マイクロホンピン４４に出力され、充電用の正電圧を供給するために使用される。グラウンドピン４３はグラウンドされる。従って、電子デバイス７は、ヘッドセットソケット４のマイクロホンピン４４を用いて外部に電力を供給することができる。
【００３３】
図２８に示すように、第２６図に示す電子デバイス７のヘッドセットソケット４に、第１本体５のプラグ５１が完全に挿入されたとき（すなわち、第１リング状コンタクト５１２と第２リング状コンタクト５１３とが電子デバイス７のヘッドセットソケット４に完全に挿入されたとき）、第１リング状コンタクト５１２がマイクロホンピン４４と電気的に接触し、第２リング状コンタクト５１３がグラウンドピン４３と電気的に接触する。同様に、第１リング状コンタクト５１２は正の電圧に接続され、第２リング状コンタクト５１３はグラウンドされる。この場合、第１リング状コンタクト５１２は、第１導電ワイヤ５３を用いて第１充電端部５２１に電気的に接続され、第２リング状コンタクト５１３は、第２導電ワイヤ５４を用いて第２充電端部５２２に電気的に接続される。これは、電子デバイス７によるスタイラスの第１本体５の充電を実施することができ、第１本体５を充電するためにサードパーティケーブルを接続する必要はない。
【００３４】
図２９に示すように、第２７図に示す電子デバイス７のヘッドセットソケット４に、第１本体５のプラグ５１が完全に挿入されたとき（すなわち、第１リング状コンタクト５１２と第２リング状コンタクト５１３とが電子デバイス７のヘッドセットソケット４に完全に挿入されたとき）、第１リング状コンタクト５１２がグラウンドピン４３と電気的に接触し、第２リング状コンタクト５１３がマイクロホンピン４４と電気的に接触する。同様に、第１リング状コンタクト５１２はグラウンドされ、第２リング状コンタクト５１３は正電圧に接続される。この場合、第１リング状コンタクト５１２は、第１導電ワイヤ５３を用いて第２充電端部５２２に電気的に接続され、第２リング状コンタクト５１３は、第２導電ワイヤ５４を用いて第１充電端部５２１に電気的に接続される。これは、電子デバイス７によるスタイラスの第１本体５の充電を実施することもできる。
【００３５】
前述の実施形態では、マイクロホンピン４４は正の電圧端部に電気的に接続され、グラウンドピン４３はグラウンド端部に電気的に接続され、最後に、第１回路５２はマイクロホンピン４４およびグラウンドピン４３を使用して充電される。
【００３６】
本出願の本実施形態において提供される再充電可能なスタイラスによれば、第１本体のプラグの外部ネジ山を有するリング状構造は、第２本体のソケットの内部ネジ山を有するリング状構造にねじ込まれ、第１本体と第２本体との間に確実な構造的接続を実現し、第１本体と第２本体との間の同心性を確保する。これにより、第１本体が第２本体から落下したり移動したりしないようにするだけでなく、第１本体のプラグの種々のコンタクトが第２本体のソケットの対応するピンと電気的に良好に接触するようにする。さらに、第１本体上のプラグの第１リング状コンタクトは、第２本体上のソケットの第１ピンと電気的に接触しており、第１本体上のプラグの第２リング状コンタクトは、第２本体上のソケットの第２ピンと電気的に接触しており、第１本体と第２本体との間の電力伝達を確実にする。さらに、第１本体のプラグの第１リング状コンタクトと第２リング状コンタクトとがマイクロホンピンでヘッドセットソケットに完全に挿入されると、第１リング状コンタクトがヘッドセットソケットのマイクロホンホンピンと電気的に接触し、第２リング状コンタクトがヘッドセットソケットのグラウンドピンと電気的に接触し、ヘッドセットソケットのマイクロホンピンが充電のための正の電圧を提供することができ、ヘッドセットソケットが第１本体に充電できるようになる。
【００３７】
本出願の一実施形態は他の再充電可能スタイラスを提供する。図３０に示すように、図２１に示すスタイラスとの違いは、図１２に示すカラム状プラグ５１が第１本体５の接続端部に配置され、第３回路５５が第１本体５の内部に配置されることである。第３リング状コンタクト５１４は、外部ネジ山を有するリング状構造５１１を介してルーティングされる第５導電線５６を使用することによって第３回路５５に電気的に接続され、第４コンタクト５１５は、外部ネジ山を有するリング状構造５１１を介してルーティングされる第６導電線５７を使用することによって、第３回路５５に電気的に接続される。  図１８に示されるソケット６１は、第２本体６の接続端部に配置される。第３ピン６１５は、第７導電ワイヤ６５を用いて第２回路６２に電気的に接続され、第４ピン６１６は、第８導電ワイヤ６６を用いて第２回路６２に電気的に接続される。
【００３８】
第３回路５５は、第１本体５と第２本体６との間でデータを送信するために使用される回路であってもよい。留意点として、当業者が実際の用途に基づいて構成することができる第３回路５５の任意の回路接続形式は、本出願の本実施形態の保護範囲内に入るものであり、詳細は本明細書には記載しない。
【００３９】
図３１に示されるように、外部ねじ山を有するリング状構造５１１が、内部ねじ山を有するリング状構造６１２内に完全にねじ込まれると、第１リング状コンタクト５１２および第２リング状コンタクト５１３は、ジャック６１１内に完全に挿入され、第１本体５および第２本体６は、完全なスタイラスを形成するようにねじ込まれる。第１リング状コンタクト５１２は第１ピン６１３と電気的に接触し、第２リング状コンタクト５１３は第２ピン６１４と電気的に接触し、第３リング状コンタクト５１４は第３ピン６１５と電気的に接触し、第４コンタクト５１５は第４ピン６１６と電気的に接触し、その結果、第１リング状コンタクト５１２と第１ピン６１３との間にチャンネルが形成され、第２リング状コンタクト５１３と第２ピン６１４との間に別のチャンネルが形成され、第３リング状コンタクト５１４と第３ピン６１５との間にチャンネルが形成され、第４コンタクト５１５と第４ピン６１６との間に別のチャンネルが形成される。この場合、第１本体５と第２本体６との間に４つの伝導チャンネルを実装することができる。具体的には、第１導電ワイヤ５３と第３導電ワイヤ６３との間で導通が実施され、第２導電ワイヤ５４と第４導電ワイヤ６４との間で導通が実施され、第５導電ワイヤ５６と第７導電ワイヤ６５との間で導通が実施され、第６導電ワイヤ５７と第８導電ワイヤ６６との間で導通が実施される。図２３に示すスタイラスと同様に、第１リング状コンタクト５１２と第２リング状コンタクト５１３の機能を、第１本体５と第２本体６との間の電力またはデータを送信するために再利用することができる。それとは別に、第３リング状コンタクト５１４および第４コンタクト５１５は、第１本体５と第２本体６との間の電力伝達またはデータ伝達を実施するために使用することもできる。
【００４０】
本出願の一実施形態は、さらに別の再充電可能スタイラスを提供する。図３２に示すように、図３０に示すスタイラスと比較して、ソケット６１の、第２回路６２、第３導電ワイヤ６３、第４導電ワイヤ６４、第７導電ワイヤ６５、第８導電ワイヤ６６、及び第１ピン６１３、第２ピン６１４、第３ピン６１５、及び第４ピン６１６が除去される。従って、第２本体６の構造はより単純である。この構造が使用されるのは、外部ネジ山を有する回転構造５１１と、内部ネジ山を有する回転構造６１２とをネジ止めするだけで、第１本体５とプラグ５１を固定すればよく、第１本体５と第２本体６との間に電力またはデータ交換の必要がない場合である。図３３に示されるように、第１本体５の外部ねじ山を有する回転構造５１１が、第２本体６の内部ねじ山を有する回転構造６１２に完全にねじ込まれると、第１リング状コンタクト５１２および第２リング状コンタクト５１３は、ジャック６１１に完全に挿入され、第１本体５および第２本体６は、完全なスタイラスを形成するようにねじ込まれる。
【００４１】
図３４に示すように、第１本体５のプラグ５１が図２６に示す電子デバイス７のヘッドセットソケット４に完全に挿入されると、第１リング状コンタクト５１２は、マイクロホンピン４４と電気的に接触し、第２リング状コンタクト５１３は、グラウンドピン４３と電気的に接触する。同様に、第１リング状コンタクト５１２は正の電圧に接続され、第２リング状コンタクト５１３はグラウンドされる。この場合、第１リング状コンタクト５１２は、第１導電ワイヤ５３を用いて第１充電端部５２１に電気的に接続され、第２リング状コンタクト５１３は、第２導電ワイヤ５４を用いて第２充電端部５２２に電気的に接続される。これは、電子デバイス７によるスタイラスの第１本体５の充電を実施することができ、第１本体５を充電するためにサードパーティケーブルを接続する必要はない。さらに、第３リング状コンタクト５１４は右チャンネルピン４２と電気的に接触しており、第４コンタクト５１５は左チャンネルピン４１と電気的に接触している。この場合、右チャンネルピン４２および第３リング状コンタクト５１４は、データのチャンネルを送信することができ、左チャンネルピン４１および第４コンタクト５１５は、別のチャンネルのデータを送信することができる。このようにして、データは、電子デバイス７のヘッドセットソケット４から第１本体５に送信され得る。
【００４２】
図３５に示すように、第１本体５のプラグ５１が図２７に示す電子デバイス７のヘッドセットソケット４に完全に挿入されると、第１リング状コンタクト５１２は、グラウンドピン４３と電気的に接触し、第２リング状コンタクト５１３は、マイクロホンピン４４と電気的に接触する。同様に、第１リング状コンタクト５１２はグラウンドされ、第２リング状コンタクト５１３は正電圧に接続される。この場合、第１リング状コンタクト５１２は、第１導電ワイヤ５３を用いて第２充電端部５２２に電気的に接続され、第２リング状コンタクト５１３は、第２導電ワイヤ５４を用いて第１充電端部５２１に電気的に接続される。これは、電子デバイス７によるスタイラスの第１本体５の充電を実施することもできる。図３４と同様に、第３リング状コンタクト５１４は右チャンネルピン４２と電気的に接触しており、第４コンタクト５１５は左チャンネルピン４１と電気的に接触している。これは、電子デバイス７のヘッドセットソケット４から第１本体５への送信を実施し得る。詳細はここでは説明しない。
【００４３】
本出願の本実施形態において提供される再充電可能スタイラスによれば、第１本体と第２本体との間の安全な構造的接続が実施され、第１本体と第２本体との同心性が確保され、第１本体と第２本体との間の電力伝達が確保され、第１本体がヘッドセットソケットを使用して充電される。また、第１本体のプラグの第３リング状コンタクトと第４コンタクトが共通のヘッドセットソケットに完全に挿入されると、第３リング状コンタクトはヘッドセットソケットの右チャンネルピンと電気的に接触し、第４コンタクトはヘッドセットソケットの左チャンネルピンと電気的に接触するため、ヘッドセットソケットを用いてデータを第１本体に送信することができる。
【００４４】
図１２に示すカラム状プラグ５１及び図１８に示すソケット６１を用いる再充電可能なスタイラスと比較して、図１１に示すカラム状プラグ５１及び図１４に示すソケット６１を用いる再充電可能なスタイラスは、２つのコンタクト及び２つのピンを減少させるので、プラグ及びソケットはより短く、再充電可能なスタイラス内に他の構成要素を配置する、より多くのスペースが利用可能である。
【００４５】
当業者には言うまでもないが、本出願のこの実施形態における図１１および図１２に示されるプラグ５１は、スタイラスを充電するために再充電可能なスタイラスにインストールされるだけでなく、他の複数のタイプの電子デバイス上にインストールされ、その電子デバイスを充電してもよい。すなわち、本出願のこの実施形態におけるスタイラスを使用して、他の電子デバイスを充電することもできる。詳細はここでは説明しない。電子デバイスは、バーチャルリアリティ（ｖｉｒｔｕａｌ  ｒｅａｌｉｔｙ、ＶＲ）デバイス、拡張リ現実（ａｕｇｍｅｎｔｅｄ  ｒｅａｌｉｔｙ、ＡＲ）デバイス、スマートウェアラブルデバイス、または他の種々のタイプの電子コンポーネントを含むが、これらに限定されない。さらに、電子デバイスは、有線または無線で、ホストまたはサーバなどのデバイスと通信することもできる。使用される通信手段は、ワイヤレスフィデリティ（ｗｉｒｅｌｅｓｓ  ｆｉｄｅｌｉｔｙ、ＷｉＦｉ）、ブルートゥース（ｂｌｕｅｔｏｏｔｈ、ＢＴ）、赤外線、レーザー、音波、ジグビー（ＺｉｇＢｅｅ）等を含むが、これらに限定されない。
【００４６】
前述の説明は、単に本出願の具体的な実施形態に過ぎず、本出願の保護範囲を限定することを意図するものではない。本出願において開示される技術的範囲内で当業者によって容易に理解される変更又は代替は、本出願の保護範囲内に入る。よって、本発明の保護範囲は、請求項の保護範囲に基づく。
【符号の説明】
【００４７】
１  第１本体
１１  オスコネクタ
１２  第１凸リブ
２  第２本体
２１  メスコネクタ
２２  第２凸リブ
３  ヘッドセットプラグ
３１  左チャンネルコンタクト
３２  右チャンネルコンタクト
３３  グラウンドコンタクト
３４  マイクロホンコンタクト
４  ヘッドセットソケット
４１  左チャンネルピン
４２  右チャンネルピン
４３  グラウンドピン
４４  マイクロホンピン
５  第１本体
５１  プラグ
５１１  外部ねじ山を有するリング状構造
５１２  第１リング状コンタクト
５１３  第２リング状コンタクト
５１４  第３リング状コンタクト
５１５  第４コンタクト
５２  第１回路
５２１  第１充電端部
５２２  第２充電端部
５２３  充電チップ
５２４  再充電可能バッテリ
５３  第１導電ワイヤ
５４  第２導電ワイヤ
５５  第３回路
５６  第５導電ワイヤ
５７  第６導電ワイヤ
６  第２本体
６１  ソケット
６１０  ソケット本体
６１１  ジャック
６１２  内部ねじ山を有するリング状構造
６１３  第１ピン
６１４  第２ピン
６１５  第３ピン
６１６  第４ピン
６２  第２回路
６３  第３導電ワイヤ
６４  第４導電ワイヤ
６５  第７導電ワイヤ
６６  第８導電ワイヤ
７  電子デバイス
７１  電源
７２  ブーストチップ
７３  抵抗
【図１】
0006794544.tif 000002
【図２】
0006794544.tif 000003
【図３】
0006794544.tif 000004
【図４】
0006794544.tif 000005
【図５】
0006794544.tif 000006
【図６】
0006794544.tif 000007
【図７】
0006794544.tif 000008
【図８】
0006794544.tif 000009
【図９】
0006794544.tif 000010
【図１０】
0006794544.tif 000011
【図１１】
0006794544.tif 000012
【図１２】
0006794544.tif 000013
【図１３】
0006794544.tif 000014
【図１４】
0006794544.tif 000015
【図１５】
0006794544.tif 000016
【図１６】
0006794544.tif 000017
【図１７】
0006794544.tif 000018
【図１８】
0006794544.tif 000019
【図１９】
0006794544.tif 000020
【図２０】
0006794544.tif 000021
【図２１】
0006794544.tif 000022
【図２２】
0006794544.tif 000023
【図２３】
0006794544.tif 000024
【図２４】
0006794544.tif 000025
【図２５】
0006794544.tif 000026
【図２６】
0006794544.tif 000027
【図２７】
0006794544.tif 000028
【図２８】
0006794544.tif 000029
【図２９】
0006794544.tif 000030
【図３０】
0006794544.tif 000031
【図３１】
0006794544.tif 000032
【図３２】
0006794544.tif 000033
【図３３】
0006794544.tif 000034
【図３４】
0006794544.tif 000035
【図３５】
0006794544.tif 000036